(57)【要約】【課題】操作者が使いやすいＰＯＳ端末および商品名称表示方法を提供する。【解決手段】名称切替ボタン２ａ２が押下されると、制御部３は、商品キー２ａ１が正式名称を表示中の場合、各商品キー２ａ１の表示を、正式名称から、各商品キー２ａ１に対応する商品の略名称に切り替える。このとき、制御部３は、名称桁数が多くなるほど小さくなる文字サイズで、略名称を各商品キー２ａ１に表示する。一方、商品キー２ａ１が略名称を表示中の場合、制御部３は、各商品キー２ａ１の表示を、略名称から、各商品キー２ａ１に対応する商品の正式名称に切り替える。このとき、制御部３は、名称桁数が多くなるほど小さくなる文字サイズで、正式名称を各商品キー２ａ１に表示する。【選択図】図１
2007122331.tif 000002
【特許請求の範囲】
【請求項１】
商品の名称を表示する商品キーを含み、前記商品キーの操作に応じて前記商品の会計処理を行うＰＯＳ端末において、
前記商品に関連づけられた複数の名称を格納する格納部と、
名称切替用の操作部と、
前記操作部が操作されるごとに、前記格納部に格納された複数の名称から１つの名称を順番に選択していき、その選択された名称を、該名称の文字数が多いほどフォントサイズを小さくして、前記商品キーに表示させる制御部と、を含むことを特徴とするＰＯＳ端末。
【請求項２】
請求項１に記載のＰＯＳ端末において、
前記商品と前記商品キーとは対応し、それぞれは複数あり、
前記格納部は、前記商品ごとに、前記複数の名称を格納し、
前記制御部は、前記操作部が操作されるごとに、前記商品キーに対応する商品の複数の名称から１つの名称を順番に選択していき、その選択された名称を、該名称の文字数が多いほどフォントサイズを小さくして該商品キーに表示させる、ＰＯＳ端末。
【請求項３】
請求項２に記載のＰＯＳ端末において、
前記複数の商品キーから所定の商品キーを選択する旨の選択指示を受け付ける選択部をさらに含み、
前記制御部は、前記操作部が操作されるごとに、前記選択指示に基づいて選択された所定の商品キーに対応する商品の複数の名称から１つの名称を順番に選択していき、その選択された名称を、該名称の文字数が多いほどフォントサイズを小さくして前記所定の商品キーに表示させる、ＰＯＳ端末。
【請求項４】
商品の名称を表示する商品キーを含み、前記商品キーの操作に応じて前記商品の会計処理を行うＰＯＳ端末において、
格納可能な文字数が互いに異なる複数の文字格納領域を有し、各文字格納領域に前記商品に関連づけられた名称を格納する格納部と、
名称切替用の操作部と、
前記操作部が操作されるごとに、前記複数の文字格納領域から１つの文字格納領域を順番に選択していき、その選択された文字格納領域に格納された名称を、その選択された文字格納領域に格納可能な文字数が多いほどフォントサイズを小さくして、前記商品キーに表示させる制御部と、を含むことを特徴とするＰＯＳ端末。
【請求項５】
請求項４に記載のＰＯＳ端末において、
前記商品と前記商品キーとは対応し、それぞれは複数あり、
前記格納部は、前記商品ごとに、前記複数の文字格納領域を有し、
前記制御部は、前記操作部が操作されるごとに、前記商品キーに対応する商品の複数の文字格納領域から１つの文字格納領域を順番に選択していき、その選択された文字格納領域に格納された名称を、その選択された文字格納領域に格納可能な文字数が多いほどフォントサイズを小さくして該商品キーに表示させる、ＰＯＳ端末。
【請求項６】
請求項５に記載のＰＯＳ端末において、
前記複数の商品キーから所定の商品キーを選択する旨の選択指示を受け付ける選択部をさらに含み、
前記制御部は、前記操作部が操作されるごとに、前記選択指示に基づいて選択された所定の商品キーに対応する商品の複数の文字格納領域から１つの文字格納領域を順番に選択していき、その選択された文字格納領域に格納された名称を、その選択された文字格納領域に格納可能な文字数が多いほどフォントサイズを小さくして前記所定の商品キーに表示させる、ＰＯＳ端末。
【請求項７】
請求項２、３、５または６に記載のＰＯＳ端末において、
ユーザを識別するためのユーザ識別情報ごとに、前記各商品キーに表示させる名称を格納する表示内容格納部と、
前記ユーザ識別情報を受け付ける入力部と、をさらに含み、
前記制御部は、前記入力部が前記ユーザ識別情報を受け付けると、該ユーザ識別情報に対応する、前記各商品キーに表示させる名称を前記表示内容格納部から読み取り、該名称を前記各商品キーに表示させる、ＰＯＳ端末。
【請求項８】
請求項２、３、５、６または７に記載のＰＯＳ端末において、
前記商品ごとに、前記複数の名称のいずれかを印字用の名称として設定する設定部と、
前記商品キーが操作されると、その操作された商品キーに応じた商品に対して前記設定部にて印字用として設定された名称をレシートに印字する印字部と、をさらに含むＰＯＳ端末。
【請求項９】
商品の名称を表示する商品キーと、名称切替用の操作部と、を含み、前記商品に関連づけられた複数の名称を格納し、前記商品キーの操作に応じて前記商品の会計処理を行うＰＯＳ端末が行う商品名称表示方法であって、
前記操作部が操作されるごとに、前記格納された複数の名称から１つの名称を順番に選択していく選択ステップと、
前記選択された名称を、該名称の文字数が多いほどフォントサイズを小さくして、前記商品キーに表示する表示ステップと、を含む商品名称表示方法。
【請求項１０】
請求項９に記載の商品名称表示方法において、
前記商品と前記商品キーとは対応し、それぞれは複数あり、
前記ＰＯＳ端末は、前記商品ごとに、前記複数の名称を格納し、
前記選択ステップでは、前記操作部が操作されるごとに、前記商品キーに対応する商品の複数の名称から１つの名称を順番に選択していく、商品名称表示方法。
【請求項１１】
請求項１０に記載の商品名称表示方法において、
前記複数の商品キーから所定の商品キーを選択する旨の選択指示を受け付ける選択指示受付ステップをさらに含み、
前記選択ステップでは、前記操作部が操作されるごとに、前記選択指示に基づいて選択された所定の商品キーに対応する商品の複数の名称から１つの名称を順番に選択していき、
前記表示ステップでは、前記選択された名称を、該名称の文字数が多いほどフォントサイズを小さくして前記所定の商品キーに表示する、商品名称表示方法。
【請求項１２】
商品の名称を表示する商品キーと、名称切替用の操作部と、格納可能な文字数が互いに異なる複数の文字格納領域と、を含み、各文字格納領域に前記商品に関連づけられた名称を格納し、前記商品キーの操作に応じて前記商品の会計処理を行うＰＯＳ端末が行う商品名称表示方法であって、
前記操作部が操作されるごとに、前記複数の文字格納領域から１つの文字格納領域を順番に選択していく選択ステップと、
前記選択された文字格納領域に格納された名称を、その選択された文字格納領域に格納可能な文字数が多いほどフォントサイズを小さくして、前記商品キーに表示する表示ステップと、を含む商品名称表示方法。
【請求項１３】
請求項１２に記載の商品名称表示方法において、
前記商品と前記商品キーとは対応し、それぞれは複数あり、
前記ＰＯＳ端末は、前記商品ごとに、前記複数の文字格納領域を有し、
前記選択ステップでは、前記操作部が操作されるごとに、前記商品キーに対応する商品の複数の文字格納領域から１つの文字格納領域を順番に選択していく、商品名称表示方法。
【請求項１４】
請求項１３に記載の商品名称表示方法において、
前記複数の商品キーから所定の商品キーを選択する旨の選択指示を受け付ける選択指示受付ステップをさらに含み、
前記選択ステップでは、前記操作部が操作されるごとに、前記選択指示に基づいて選択された所定の商品キーに対応する商品の複数の文字格納領域から１つの文字格納領域を順番に選択していき、
前記表示ステップでは、前記選択された文字格納領域に格納された名称を、その選択された文字格納領域に格納可能な文字数が多いほどフォントサイズを小さくして前記所定の商品キーに表示する、商品名称表示方法。
【請求項１５】
請求項１０、１１、１３または１４に記載の商品名称表示方法において、
前記ＰＯＳ端末は、ユーザを識別するためのユーザ識別情報ごとに、前記各商品キーに表示させる名称を格納し、
前記ユーザ識別情報を受け付ける入力ステップと、
前記ユーザ識別情報が受け付けられると、該ユーザ識別情報に対応する、前記各商品キーに表示させる名称を読み取り、該名称を前記各商品キーに表示させる、名称表示ステップと、をさらに含む、商品名称表示方法。
【請求項１６】
請求項１０、１１、１３、１４または１５に記載の商品名称表示方法において、
前記ＰＯＳ端末は、前記商品ごとに、前記複数の名称のいずれかを印字用の名称として設定し、
前記商品キーが操作されると、その操作された商品キーに応じた商品に対して印字用として設定された名称をレシートに印字する印字ステップをと、をさらに含む商品名称表示方法。
【請求項１７】
商品の名称を表示する商品キーと、名称切替用の操作部と、を含み、前記商品に関連づけられた複数の名称を格納し、前記商品キーの操作に応じて前記商品の会計処理を行うＰＯＳ端末に、商品名称表示処理を実行させるプログラムであって、
前記操作部が操作されるごとに、前記格納された複数の名称から１つの名称を順番に選択していく選択処理と、
前記選択された名称を、該名称の文字数が多いほどフォントサイズを小さくして、前記商品キーに表示する表示処理と、を含む商品名称表示処理を、前記ＰＯＳ端末に実行させるプログラム。
【請求項１８】
商品の名称を表示する商品キーと、名称切替用の操作部と、格納可能な文字数が互いに異なる複数の文字格納領域と、を含み、各文字格納領域に前記商品に関連づけられた名称を格納し、前記商品キーの操作に応じて前記商品の会計処理を行うＰＯＳ端末に、商品名称表示処理を実行させるプログラムであって、
前記操作部が操作されるごとに、前記複数の文字格納領域から１つの文字格納領域を順番に選択していく選択処理と、
前記選択された文字格納領域に格納された名称を、その選択された文字格納領域に格納可能な文字数が多いほどフォントサイズを小さくして、前記商品キーに表示する表示処理と、を含む商品名称表示処理を、前記ＰＯＳ端末に実行させるプログラム。
【発明の詳細な説明】
【技術分野】
【０００１】
本発明は、ＰＯＳ端末、商品名称表示方法およびプログラムに関し、特には、商品ごとに設けられた商品キーに商品名称を表示するＰＯＳ端末、商品名称表示方法およびプログラムに関する。
【背景技術】
【０００２】
現在、高齢者の数が増えている。このため、各社は、高齢者および障害者が使いやすい製品を開発している。
【０００３】
特許文献１（特開２００１−２０２５７０号公報）には、タッチパネルを持つＰＯＳ端末が記載されている。
【０００４】
タッチパネルを持つＰＯＳ端末では、商品に対応する商品キー（ボタン）が、タッチパネル上に表示され、各商品キーは、自己に対応する商品の名称を表示する。
【０００５】
また、特許文献２（特開平１１−２８８４８１号公報）には、ボタン操作に応じて、表示文字および操作キーを拡大表示する自動取引装置（ＡＴＭ）が記載されている。
【特許文献１】特開２００１−２０２５７０号公報
【特許文献２】特開平１１−２８８４８１号公報
【発明の開示】
【発明が解決しようとする課題】
【０００６】
ＰＯＳ端末は、固定サイズの商品キー内に商品名称を表示する。このため、商品名称が所定の長さを超えると、ＰＯＳ端末は、名称全体を表示するために、商品名称のフォントサイズを小さくする必要がある。
【０００７】
しかし、従業員（パートとアルバイトも含む）の高齢化も進んでおり、小さな文字の識別が困難な操作者からは、フォントサイズを大きくしてほしいという要望が出ている。
【０００８】
フォントサイズを大きくするためには、商品名称を簡略化して、商品キーに表示される商品名称を短くする必要がある。
【０００９】
しかし、その場合、システム全体で使用する商品名称が短くなり、レシートなどに印字する名称を正式名称にしたいという要望に応えられなくなる。
【００１０】
また、商品名称が簡略化されると、例えば、簡略化された商品名称に慣れていない操作者は、商品に対応する商品キーを正確に認識することが困難になる。
【００１１】
本発明の目的は、操作者が使いやすいＰＯＳ端末および商品名称表示方法を提供することである。
【課題を解決するための手段】
【００１２】
上記目的を達成するために、本発明のＰＯＳ端末は、商品の名称を表示する商品キーを含み、前記商品キーの操作に応じて前記商品の会計処理を行うＰＯＳ端末において、前記商品に関連づけられた複数の名称を格納する格納部と、名称切替用の操作部と、前記操作部が操作されるごとに、前記格納部に格納された複数の名称から１つの名称を順番に選択していき、その選択された名称を、該名称の文字数が多いほどフォントサイズを小さくして、前記商品キーに表示させる制御部とを含む。
【００１３】
また、本発明の商品名称表示方法は、商品の名称を表示する商品キーと、名称切替用の操作部と、を含み、前記商品に関連づけられた複数の名称を格納し、前記商品キーの操作に応じて前記商品の会計処理を行うＰＯＳ端末が行う商品名称表示方法であって、前記操作部が操作されるごとに、前記格納された複数の名称から１つの名称を順番に選択していく選択ステップと、前記選択された名称を、該名称の文字数が多いほどフォントサイズを小さくして、前記商品キーに表示する表示ステップとを含む。
【００１４】
上記発明によれば、操作部が操作されるごとに、商品に関連づけられた複数の名称から１つの名称が順番に選択されていき、その選択された名称が、その文字数が多いほどフォントサイズを小さくして、商品キーに表示される。
【００１５】
例えば、ユーザは、商品キーに名称を大きく表示させたい場合、操作部を操作して、略名称等の文字数の少ない名称を商品キーに表示させ、また、正式名称等の詳しい名称を商品キーに表示させたい場合、操作部を操作して、文字数の多い詳しい名称を商品キーに表示させることが可能となる。
【００１６】
したがって、ユーザは、操作部を操作することによって、商品キーに表示される名称を、ユーザが使いやすい名称に切り替えることが可能となる。
【００１７】
なお、前記商品と前記商品キーとは対応し、それぞれは複数あり、前記商品ごとに前記複数の名称が格納され、前記操作部が操作されるごとに、前記商品キーに対応する商品の複数の名称から１つの名称が順番に選択されていき、その選択された名称が、該名称の文字数が多いほどフォントサイズを小さくして該商品キーに表示されることが望ましい。
【００１８】
上記発明によれば、ユーザは、操作部を操作することによって、複数の商品キーに表示される名称を、ユーザが使いやすい名称に切り替えることが可能となる。
【００１９】
また、前記複数の商品キーから所定の商品キーを選択する旨の選択指示が受け付けられ、前記操作部が操作されるごとに、前記選択指示にて選択された所定の商品キーに対応する商品の複数の名称から１つの名称が順番に選択されていき、その選択された名称が、その文字数が多いほどフォントサイズを小さくして前記所定の商品キーに表示されることが望ましい。
【００２０】
上記発明によれば、選択指示にて表示を切り替える商品キーが選択される。このため、選択指示にて選択された商品キーごとに、商品キーに表示される名称を、ユーザが使いやすい名称に切り替えることが可能となる。
【００２１】
また、本発明のＰＯＳ端末は、商品の名称を表示する商品キーを含み、前記商品キーの操作に応じて前記商品の会計処理を行うＰＯＳ端末において、格納可能な文字数が互いに異なる複数の文字格納領域を有し、各文字格納領域に前記商品に関連づけられた名称を格納する格納部と、名称切替用の操作部と、前記操作部が操作されるごとに、前記複数の文字格納領域から１つの文字格納領域を順番に選択していき、その選択された文字格納領域に格納された名称を、その選択された文字格納領域に格納可能な文字数が多いほどフォントサイズを小さくして、前記商品キーに表示させる制御部とを含む。
【００２２】
また、本発明の商品名称表示方法は、商品の名称を表示する商品キーと、名称切替用の操作部と、格納可能な文字数が互いに異なる複数の文字格納領域と、を含み、各文字格納領域に前記商品に関連づけられた名称を格納し、前記商品キーの操作に応じて前記商品の会計処理を行うＰＯＳ端末が行う商品名称表示方法であって、前記操作部が操作されるごとに、前記複数の文字格納領域から１つの文字格納領域を順番に選択していく選択ステップと、前記選択された文字格納領域に格納された名称を、その選択された文字格納領域に格納可能な文字数が多いほどフォントサイズを小さくして、前記商品キーに表示する表示ステップとを含む。
【００２３】
上記発明によれば、操作部が操作されるごとに、複数の文字格納領域から１つの文字格納領域を順番に選択されていき、その選択された文字格納領域に格納された名称が、その選択された文字格納領域に格納可能な文字数が多いほどフォントサイズを小さくして、商品キーに表示される。
【００２４】
したがって、ユーザは、操作部を操作することによって、商品キーに表示される名称を、ユーザが使いやすい名称に切り替えることが可能となる。
【００２５】
また、前記商品と前記商品キーとは対応し、それぞれは複数あり、前記商品ごとに、前記複数の文字格納領域が設けられ、前記操作部が操作されるごとに、前記商品キーに対応する商品の複数の文字格納領域から１つの文字格納領域が順番に選択され、その選択された文字格納領域に格納された名称が、その選択された文字格納領域に格納可能な文字数が多いほどフォントサイズを小さくして該商品キーに表示されることが望ましい。
【００２６】
上記発明によれば、ユーザは、操作部を操作することによって、複数の商品キーに表示される名称を、ユーザが使いやすい名称に切り替えることが可能となる。
【００２７】
また、前記複数の商品キーから所定の商品キーを選択する旨の選択指示が受け付けられ、前記操作部が操作されるごとに、前記選択指示に基づいて選択された所定の商品キーに対応する商品の複数の文字格納領域から１つの文字格納領域が順番に選択されていき、その選択された文字格納領域に格納された名称が、その選択された文字格納領域に格納可能な文字数が多いほどフォントサイズを小さくして前記所定の商品キーに表示されることが望ましい。
【００２８】
上記発明によれば、選択指示にて表示を切り替える商品キーが選択される。このため、選択指示にて選択された商品キーごとに、商品キーに表示される名称を、ユーザが使いやすい名称に切り替えることが可能となる。
【００２９】
また、ユーザを識別するためのユーザ識別情報ごとに、前記各商品キーに表示させる名称が格納され、前記ユーザ識別情報が受け付けられると、該ユーザ識別情報に対応する、前記各商品キーに表示させる名称が読み取られ、該名称が前記各商品キーに表示されることが望ましい。
【００３０】
上記発明によれば、ユーザ識別情報に応じて、各商品キーの名称表示を切り替えることが可能になる。よって、ユーザが入れ替わってＰＯＳ端末を使用する場合、ユーザがユーザ識別情報を入力することにより、商品キーの名称表示を、そのユーザが使いやすい名称表示に切り替えることが可能になる。
【００３１】
また、前記商品ごとに、前記複数の名称から印字用の名称が設定され、前記商品キーが操作されると、その操作された商品キーに応じた商品に対して印字用として設定された名称がレシートに印字されることが望ましい。
【００３２】
上記発明によれば、商品キーに表示される名称が切り替えられても、レシートに印字される名称を特定しておくことが可能になる。このため、商品キーに表示される名称にかかわらず、レシートに印字される商品の名称を統一することが可能になる。
【００３３】
また、本発明のプログラムは、商品の名称を表示する商品キーと、名称切替用の操作部と、を含み、前記商品に関連づけられた複数の名称を格納し、前記商品キーの操作に応じて前記商品の会計処理を行うＰＯＳ端末に、商品名称表示処理を実行させるプログラムであって、前記操作部が操作されるごとに、前記格納された複数の名称から１つの名称を順番に選択していく選択処理と、前記選択された名称を、該名称の文字数が多いほどフォントサイズを小さくして、前記商品キーに表示する表示処理と、を含む商品名称表示処理を、前記ＰＯＳ端末に実行させる。
【００３４】
また、本発明のプログラムは、商品の名称を表示する商品キーと、名称切替用の操作部と、格納可能な文字数が互いに異なる複数の文字格納領域と、を含み、各文字格納領域に前記商品に関連づけられた名称を格納し、前記商品キーの操作に応じて前記商品の会計処理を行うＰＯＳ端末に、商品名称表示処理を実行させるプログラムであって、
前記操作部が操作されるごとに、前記複数の文字格納領域から１つの文字格納領域を順番に選択していく選択処理と、
前記選択された文字格納領域に格納された名称を、その選択された文字格納領域に格納可能な文字数が多いほどフォントサイズを小さくして、前記商品キーに表示する表示処理と、を含む商品名称表示処理を、前記ＰＯＳ端末に実行させる。
【００３５】
上記発明によれば、上記商品名称表示方法を上記ＰＯＳ端末に実行させることが可能になる。
【発明の効果】
【００３６】
本発明によれば、ユーザは、操作部を操作することによって、商品キーに表示される名称を、ユーザが使いやすい名称に切り替えることが可能となる。
【発明を実施するための最良の形態】
【００３７】
以下、本発明の実施例を、図面を参照して説明する。
【００３８】
図１は、本発明の一実施例のＰＯＳ端末を示したブロック図である。
【００３９】
図１において、本ＰＯＳ端末は、商品マスタデータベース（以下「商品マスタＤＢ」と称する。）１と、操作表示部２と、制御部３と、印字部４と、表示内容格納部５と、入力部６とを含む。
【００４０】
商品マスタＤＢ１は、格納部の一例であり、商品ごとに、その商品に関連づけられた複数の名称を格納する。また、商品マスタＤＢ１は、設定部の一例であり、商品ごとに、複数の名称のいずれかを印字用の名称として設定する。
【００４１】
図２は、商品マスタＤＢ１の一例を示した説明図である。
【００４２】
図２において、商品マスタＤＢ１は、商品１ａごとに、正式名称１ｂと、略名称１ｃと、価格１ｄと、印字名称１ｅとを関連づけて格納する。なお、商品１ａは、例えば、各商品の識別コードである。
【００４３】
商品マスタＤＢ１は、例えば、商品Ａと、商品Ａの正式名称「○○○○○」と、商品Ａの略名称「○○○」と、商品Ａの価格「４００」と、商品Ａの印字名称「○○○○○」とを関連づけて格納する。
【００４４】
なお、各商品において、正式名称１ｂの文字数は、略名称１ｃの文字数より多い。換言すると、正式名称１ｂは、略名称１ｃより長い。
【００４５】
また、商品Ａの印字名称は、商品Ａの正式名称に限らず適宜変更可能であり、例えば、商品Ａの略名称でもよい。
【００４６】
また、正式名称として登録可能な文字数が、略名称として登録可能な文字数よりも多くてもよい。
【００４７】
図１に戻って、操作表示部２は、タッチパネル式の画面２ａを有する。
【００４８】
画面２ａには、複数の商品キー２ａ１と、名称切替ボタン２ａ２とが表示される。
【００４９】
商品キー２ａ１ａは、商品Ａに対応し、商品Ａの複数の名称から選択された１つの名称を表示する。商品キー２ａ１ｂは、商品Ｂに対応し、商品Ｂの複数の名称から選択された１つの名称を表示する。商品キー２ａ１ｃは、商品Ｃに対応し、商品Ｃの複数の名称から選択された１つの名称を表示する。商品キー２ａ１ｄは、商品Ｄに対応し、商品Ｄの複数の名称から選択された１つの名称を表示する。
【００５０】
なお、各商品キー２ａ１は、名称が長いほど、換言すると、名称の文字数が多いほど、名称のフォントサイズを小さくして、その名称を表示する。
【００５１】
操作表示部２は、商品キー２ａ１が操作されると、その商品キー２ａ１に対応する商品を示す商品キー信号（例えば、商品の識別コード）を制御部３に提供する。
【００５２】
名称切替ボタン２ａ２は、操作部の一例である。操作表示部２は、名称切替ボタン２ａ２が操作されると、操作信号を制御部３に提供する。
【００５３】
制御部３は、例えば、ＰＯＳ端末の動作を規定するプログラムを実行して種々の動作を行うコンピュータであり、ＰＯＳ端末全体を制御する。
【００５４】
制御部３は、操作表示部２から商品キー信号を受け付けると、その商品キー信号に対応する商品を特定し、その商品に関連づけられた価格を商品マスタＤＢ１から読み出し、その価格に基づいて、その商品の会計処理を行う。
【００５５】
また、制御部３は、その特定された商品に関連づけられた印字名称を商品マスタＤＢ１から読み出し、その印字名称をレシートに印字する印字処理を、印字部４に実行させる。
【００５６】
また、制御部３は、名称切替ボタン２ａ２が操作されるごとに、商品キー２ａ１に対応する商品の複数の名称から１つの名称を順番に選択していく。
【００５７】
制御部３は、その選択された名称全体が商品キーに表示されるように、その選択された名称を、名称の文字数が多くなるほどフォントサイズを小さくして、その名称の商品に対応する商品キー２ａ１に表示させる。
【００５８】
具体的には、制御部３は、操作表示部２から操作信号を受け付けるたびに、各商品キー２ａ１の表示を、その商品キーに対応する商品の正式名称と、その商品の略名称とに、交互に切り替える。
【００５９】
なお、略名称が正式名称より短いので、制御部３は、略名称を正式名称より大きいフォントサイズで商品キーに表示する。このとき、制御部３は、正式名称全体が商品キーに表示され、また、略名称全体が商品キーに表示されるように、略名称と正式名称とのフォントサイズを調整する。
【００６０】
表示内容格納部５は、ユーザを識別するための担当者コード（ユーザ識別情報）ごとに、各商品キー２ａ１に表示させる名称を格納する。
【００６１】
図３は、表示内容格納部５の一例を示した説明図である。
【００６２】
図３において、表示内容格納部５は、担当者コード５ａごとに、各商品キー２ａ１に表示させる名称５ｂを格納する。
【００６３】
表示内容格納部５は、例えば、担当者コード「０００１」と、商品キー２ａ１ａに表示させる名称「○○○」と、商品キー２ａ１ｂに表示させる名称「×××」と、商品キー２ａ１ｃに表示させる名称「○×」と、商品キー２ａ１ｄに表示させる名称「△△△」と、を関連づけて格納する。
【００６４】
図１に戻って、入力部６は、例えば、キーボードおよびマウスであり、担当者コードおよび表示登録指示等のユーザの入力を受け付ける。
【００６５】
なお、表示登録指示は、担当者コードに関連づけて、各商品キー２ａ１に表示させる名称を、表示内容格納部５に格納する旨を示す。
【００６６】
入力部６は、担当者コードを受け付けると、その担当者コードを制御部３に提供し、また、表示登録指示を受け付けると、その表示登録指示を制御部３に提供する。
【００６７】
制御部３は、表示登録指示を受け付けてから所定時間（例えば、８秒間）内に担当者コードを受け付けると、そのときに各商品キー２ａ１が表示している名称を、各商品キー２ａ１に表示させる名称５ｂとして、表示内容格納部５に格納する。このとき、制御部３は、各商品キー２ａ１に表示させる名称５ｂを、その受け付けられた担当者コードに対応づけて表示内容格納部５に格納する。
【００６８】
また、制御部３は、表示登録指示を受け付けてから所定時間経過した後に担当者コードを受け付けると、その担当者コードに対応する、各商品キー２ａ１に表示させる名称５ｂを、表示内容格納部５から読み取る。制御部３は、その各商品キー２ａ１に表示させる名称５ｂを各商品キー２ａ１に表示させる。
【００６９】
なお、所定時間は、８秒間に限らず適宜変更可能である。
【００７０】
また、担当者コードが入力されてから会計処理を開始するようなＰＯＳ端末の場合、制御部３は、名称切替ボタン２ａ２が操作されるごとに、あらかじめ入力されている担当者コードに対応させて、各商品キー２ａ１に表示させる名称を表示内容格納部５に格納してもよい。
【００７１】
この場合は、別の担当者がＰＯＳ端末を操作後、ユーザが、改めて自分の担当者コードを入力することによって、制御部３は、そのユーザが前回各商品キー２ａ１に表示させていた名称を、各商品キー２ａ１に再び表示させる。
【００７２】
次に、動作を説明する。
（１）名称切替ボタン２ａ２による商品キー２ａ１の表示切替え
図４は、名称切替ボタン２ａ２の操作によって、商品キー２ａ１の表示を切り替える動作を説明するためのフローチャートである。以下、図４を参照して、名称切替ボタン２ａ２の操作によって、商品キー２ａ１の表示を切り替える動作を説明する。
【００７３】
名称切替ボタン２ａ２が押下されると（ステップ４０１）、操作表示部２は、操作信号を制御部３に提供する。制御部３は、操作信号を受け付けると、ステップ４０２を実行する。
【００７４】
ステップ４０２では、制御部３は、商品キー２ａ１が正式名称を表示中であるか否か判断する。制御部３は、商品キー２ａ１が正式名称を表示中の場合（図５参照）、ステップ４０３を実行し、一方、商品キー２ａ１が略名称を表示中の場合（図６参照）、ステップ４０４を実行する。
【００７５】
なお、図５は、商品キー２ａ１が正式名称を表示しているときの画面２ａの一例を示した説明図であり、図６は、商品キー２ａ１が略名称を表示しているときの画面２ａの一例を示した説明図である。
【００７６】
ステップ４０３では、制御部３は、各商品キー２ａ１の表示を、正式名称から、各商品キー２ａ１に対応する商品の略名称に切り替える。このとき、制御部３は、名称桁数にあわせた文字サイズで、具体的には、名称の文字数が多くなるほど小さくなる文字サイズで、略名称を各商品キー２ａ１に表示する。
【００７７】
一方、ステップ４０４では、制御部３は、各商品キー２ａ１の表示を、略名称から、各商品キー２ａ１に対応する商品の正式名称に切り替える。このとき、制御部３は、名称桁数にあわせた文字サイズで、具体的には、名称の文字数が多くなるほど小さくなる文字サイズで、正式名称を各商品キー２ａ１に表示する。
（２）表示内容格納部５への情報の格納動作
次に、表示内容格納部５に、担当者コードと関連づけて、各商品キー２ａ１に表示させる名称を格納する動作を説明する。
【００７８】
ユーザは、表示内容格納部５に、担当者コードと関連づけて、各商品キー２ａ１に表示させる名称を格納する場合、まず、名称切替ボタン２ａ２を操作して、各商品キー２ａ１に表示される名称を、自らが使いやすい名称に設定する。
【００７９】
続いて、ユーザは、表示登録指示と、自己の担当者コードとを、入力部６に入力する。このとき、ユーザは、表示登録指示を入力してから所定時間（例えば、８秒間）内に担当者コードを入力する。
【００８０】
入力部６は、表示登録指示と担当者コードとを、制御部３に提供する。
【００８１】
制御部３は、表示登録指示を受け付けてから所定時間（例えば、８秒間）内に担当者コードを受け付けると、そのときに各商品キー２ａ１が表示している名称を、各商品キー２ａ１に表示させる名称５ｂとして、表示内容格納部５に格納する。
【００８２】
このとき、制御部３は、各商品キー２ａ１に表示させる名称５ｂを、その受け付けられた担当者コードに対応づけて表示内容格納部５に格納する。
【００８３】
また、担当者コードが入力されてから会計処理を開始するようなＰＯＳ端末の場合、制御部３は、名称切替ボタン２ａ２が操作されるごとに、あらかじめ入力されている担当者コードに対応させて、各商品キー２ａ１に表示させる名称を表示内容格納部５に格納する。
（３）担当者コードによる商品キー２ａ１の表示切替え
次に、担当者コードによる商品キー２ａ１の表示切替え動作を説明する。
【００８４】
ユーザは、上記（２）の動作を行った後にＰＯＳ端末を操作する際、自己の担当者コードを入力部６に入力する。入力部６は、担当者コードを制御部３に提供する。
【００８５】
制御部３は、表示登録指示を受け付けてから所定時間経過した後に担当者コードを受け付けると、その担当者コードに対応する、各商品キー２ａ１に表示させる名称５ｂを、表示内容格納部５から読み取る。
【００８６】
制御部３は、各商品キー２ａ１に表示させる名称５ｂを、各商品キー２ａ１に表示させる。
【００８７】
また、担当者コードが入力されてから会計処理を開始するようなＰＯＳ端末の場合、別の担当者がＰＯＳ端末を操作後、ユーザが、改めて自分の担当者コードを入力することによって、制御部３は、そのユーザが前回各商品キー２ａ１に表示させていた名称を、各商品キー２ａ１に再び表示させる。
（４）商品キー操作に応じた処理
次に、商品キーが操作された際に実行される動作を説明する。
【００８８】
商品キー２ａ１が操作されると、操作表示部２は、その商品キー２ａ１に対応する商品キー信号を制御部３に提供する。
【００８９】
制御部３は、操作表示部２から商品キー信号を受け付けると、その商品キー信号に対応する商品を特定し、その商品に関連づけられた価格を商品マスタＤＢ１から読み出し、その価格に基づいて、その商品の会計処理を行う。
【００９０】
また、制御部３は、その特定された商品に関連づけられた印字名称を商品マスタＤＢ１から読み出す。続いて、制御部３は、その印字名称をレシートに印字する印字処理を、印字部４に実行させる。
【００９１】
本実施例によれば、制御部３は、名称切替ボタン２ａ２が操作されるごとに、商品に関連づけられた複数の名称から１つの名称を順番に選択していき、その選択された名称を、名称の文字数が多いほどフォントサイズを小さくして、商品キー２ａ１に表示させる。
【００９２】
例えば、飲食店等では、従業員間で使用する略称（例：レモンスカッシュ→レスカ）が存在するケースが多い。
【００９３】
ユーザは、商品キー２ａ１に名称を大きく表示させたい場合、名称切替ボタン２ａ２を操作して、短い名称（例えば、略称）を商品キー２ａ１に表示させ、また、正式名称等の詳しい名称を商品キー２ａ１に表示させたい場合、名称切替ボタン２ａ２を操作して、長い名称を商品キー２ａ１に表示させることが可能となる。
【００９４】
したがって、ユーザは、名称切替ボタン２ａ２を操作することによって、商品キー２ａ１に表示される名称を、ユーザが使いやすい名称に切り替えることが可能となる。
【００９５】
なお、本実施例では、商品と商品キー２ａ１とは対応し、それぞれは複数あり、商品マスタＤＢ１は、商品ごとに複数の名称を格納する。また、制御部３は、名称切替ボタン２ａ２が操作されるごとに、商品キー２ａ１に対応する商品の複数の名称から１つの名称を順番に選択していき、その選択された名称を、名称の文字数が多いほどフォントサイズを小さくして、その商品キー２ａ１に表示させる。
【００９６】
この場合、ユーザは、名称切替ボタン２ａ２を操作することによって、複数の商品キー２ａ１に表示される名称を、ユーザが使いやすい名称に切り替えることが可能となる。
【００９７】
また、本実施例では、表示内容格納部５は、担当者コードごとに、各商品キー２ａ１に表示させる名称を格納する。また、制御部３は、担当者コードを受け付けると、その担当者コードに対応する、各商品キーに表示させる名称を、表示内容格納部５から読み取り、その名称を各商品キー２ａ１に表示させる。
【００９８】
この場合、担当者コードに応じて、各商品キー２ａ１の名称表示を切り替えることが可能になる。よって、ユーザが入れ替わってＰＯＳ端末を使用する場合、ユーザが自己の担当者コードを入力することにより、商品キー２ａ１の名称表示を、そのユーザが使いやすい名称表示に簡単に切り替えることが可能になる。
【００９９】
なお、本実施例が、ユーザがＰＯＳ端末の操作を開始する際に、自己の担当者コードをＰＯＳ端末に入力しなければならないＰＯＳシステムに適用されれば、ユーザは、ＰＯＳ端末を使用する際に、常に自己が使いやすい名称を商品キーに表示させることが可能になる。
【０１００】
また、本実施例では、商品マスタＤＢ１には、商品ごとに、その商品の複数の名称の中の１つが、印字用の名称として設定される。印字部４は、商品キー２ａ１が操作されると、その操作された商品キー２ａ１に応じた商品に対して印字用として設定された名称をレシートに印字する。
【０１０１】
この場合、商品キー２ａ１に表示される名称が切り替えられても、レシートに印字される名称を特定しておくことが可能になる。このため、商品キー２ａ１に表示される名称にかかわらず、レシートに印字される商品の名称を統一することが可能になる。
【０１０２】
なお、上記実施例において、正式名称と略名称を、商品ごとに、選択して表示できるようにしてもよい。
【０１０３】
図７は、正式名称と略名称を、商品ごとに、選択して表示することが可能なＰＯＳ端末を示したブロック図である。図７において、図１に示したものと同一機能を有するものには同一符号を附してある。
【０１０４】
図７に示したＰＯＳ端末では、図１に示したＰＯＳ端末に、選択ボタン２ａ３が追加されている。以下、図１と異なる点を中心に、図７に示したＰＯＳ端末を説明する。
【０１０５】
選択ボタン２ａ３は、選択部の一例であり、操作表示部２に表示される。
【０１０６】
選択ボタン２ａ３は、複数の商品キー２ａ１から所定の商品キーを選択する旨の選択指示を受け付ける。具体的には、選択部２ａ３は、ユーザの操作を、選択指示として受け付ける。操作表示部２は、選択部２ａ３が操作されると、選択指示を制御部３に提供する。
【０１０７】
制御部３は、選択指示を受け付けると、所定期間（例えば、１０秒）商品キー信号を待つ。制御部３は、その所定期間内に受け付けられた商品キー信号に対応する商品キーを、選択指示に基づいて選択された所定の商品キーとして認識する。なお、所定期間は、１０秒に限らず適宜変更可能である。
【０１０８】
制御部３は、所定時間内に１つの商品キー信号を受け付けると、その１つの商品キー信号に対応する商品キーを、所定の商品キーとして認識し、また、所定時間内に複数の商品キー信号を受け付けると、その複数の商品キー信号に対応する商品キーを、所定の商品キーとして認識する。
【０１０９】
その後、制御部３は、名称切替ボタン２ａ２が操作されるたびに、所定の商品キーごとに、その所定の商品キーに対応する商品の複数の名称から１つの名称を順番に選択していき、その選択された名称を、その名称の文字数が多いほどフォントサイズを小さくして、その所定の商品キーに表示させる。
【０１１０】
この場合、ユーザは、選択ボタン２ａ３を押下した後、表示されている名称を変更したい商品キー２ａ１を押下し、その後、名称切替ボタン２ａ２を押下することによって、商品キーごとに、商品キーに表示される名称を、ユーザが使いやすい名称に切り替えることが可能となる。
【０１１１】
また、本実施例では、表示内容格納部５は、商品キーごとに正式名称と略称を選択した画面を、担当者ごとに登録可能となる。
【０１１２】
例えば、ユーザが、選択ボタン２ａ３と、商品キー２ａ１と、名称切替ボタン２ａ２とを操作して、商品キー２ａ１ごとに、商品キー２ａ１に表示される名称を、ユーザが使いやすい名称に切り替えた後、表示登録指示と自己の担当者コードとを入力部６に入力すれば、制御部３は、そのときに各商品キー２ａ１が表示している名称を、各商品キー２ａ１に表示させる名称５ｂとして、表示内容格納部５に格納する。
【０１１３】
その後、ユーザが、自己の担当者コードを入力部６に入力すれば、制御部３は、その担当者コードに対応する、各商品キー２ａ１に表示させる名称５ｂを、表示内容格納部５から読み取り、その各商品キー２ａ１に表示させる名称５ｂを各商品キー２ａ１に表示させる。
【０１１４】
なお、上記各実施例では、操作表示部２は、タッチパネル式の画面２ａを有していたが、操作表示部２は、商品キー２ａ１、名称切替ボタン２ａ２等を表示する画面を有し、入力部６のマウスのクリックにより、商品キー２ａ１、名称切替ボタン２ａ２等が操作されてもよい。
【０１１５】
また、上記各実施例では、商品マスタＤＢ１は、複数の名称として、正式名称と略名称の２つを格納していたが、複数の名称は、これらに限らず適宜変更可能である。例えば、商品マスタＤＢ１は、複数の名称として３つ以上の名称を格納してもよい。
【０１１６】
商品マスタＤＢ１が、複数の名称として、名称Ａと、名称Ｂと、名称Ｃとを格納している場合、制御部３は、名称切替ボタン２ａ２が操作されるたびに、名称Ａ、名称Ｂ、名称Ｃ、名称Ａ（以降繰り返し）という順番で、表示を切り替える。
【０１１７】
また、上記各実施例において、商品マスタＤＢ１は、格納可能な文字数が互いに異なる複数の文字格納領域を商品ごとに有し、各文字格納領域に商品に関連づけられた名称を格納してもよい。
【０１１８】
この場合、制御部３は、名称切替ボタン２ａ２が操作されるごとに、商品キー２ａ１に対応する商品の複数の文字格納領域から１つの文字格納領域を順番に選択していき、その選択された文字格納領域に格納された名称を、その選択された文字格納領域に格納可能な文字数が多いほどフォントサイズを小さくして、その商品キー２ａ１に表示させてもよい。
【０１１９】
例えば、商品マスタＤＢ１において、正式名称を格納するための文字格納領域の格納可能な文字数が１０文字で、略名称を格納するための文字格納領域の格納可能な文字数が５文字の場合、制御部３は、正式名称を、略名称のフォントサイズより小さくして商品キーに表示する。
【０１２０】
上記実施例では、登録された名称文字数がそろっていないと、フォントサイズがばらばらになるが、この場合、フォントサイズが、文字格納領域に格納可能な文字数によって決定するので、文字格納領域単位で、フォントサイズをそろえることが可能になる。
【０１２１】
また、制御部３は、名称切替ボタン２ａ２が操作されるごとに、商品キーに対応する商品の複数の文字格納領域から１つの文字格納領域を順番に選択し、その選択された文字格納領域に格納された名称を、その選択された文字格納領域に格納可能な文字数が多いほどフォントサイズを小さくしてその商品キーに表示させてもよい。
【０１２２】
この場合、ユーザは、名称切替ボタン２ａ２を操作することによって、複数の商品キーに表示される名称を、ユーザが使いやすい名称に切り替えることが可能となる。
【０１２３】
また、選択ボタン２ａ３が、選択指示を受け付け、制御部３が、名称切替ボタン２ａ２が操作されるごとに、選択指示に基づいて選択された所定の商品キーに対応する商品の複数の文字格納領域から１つの文字格納領域が順番に選択されていき、その選択された文字格納領域に格納された名称を、その選択された文字格納領域に格納可能な文字数が多いほどフォントサイズを小さくして所定の商品キーに表示させてもよい。
【０１２４】
この場合、選択指示にて選択された商品キーごとに、商品キーに表示される名称を、ユーザが使いやすい名称に切り替えることが可能となる。
【０１２５】
上記各実施例によれば、以下の効果を奏する。
【０１２６】
ＰＯＳ端末のユーザが、高齢者など小さな文字の読み取りができない場合でも、文字サイズを大きくすることにより、ユーザによる名称の読み取りが容易になる。
【０１２７】
また、ＰＯＳ端末のユーザが、新人などでまだ略称が理解しきれていない場合などでは、正式名称を表示することにより、間違いのない入力ができる。
【０１２８】
以上説明した各実施例において、図示した構成は単なる一例であって、本発明はその構成に限定されるものではない。
【図面の簡単な説明】
【０１２９】
【図１】本発明の一実施例のＰＯＳ端末を示したブロック図である。
【図２】商品マスタＤＢ１の一例を示した説明図である。
【図３】表示内容格納部５の一例を示した説明図である。
【図４】ＰＯＳ端末の動作を説明するためのフローチャートである。
【図５】商品キー２ａ１の表示の一例を示した説明図である。
【図６】商品キー２ａ１の表示の他の例を示した説明図である。
【図７】本発明の他の実施例のＰＯＳ端末を示したブロック図である。
【符号の説明】
【０１３０】
１      商品マスタＤＢ
２      操作表示部
２ａ    画面
２ａ１  商品キー
２ａ２  名称切替ボタン
２ａ３  選択ボタン
３      制御部
４      印字部
５      表示内容格納部
６      入力部
【図１】
2007122331.tif 000003
【図２】
2007122331.tif 000004
【図３】
2007122331.tif 000005
【図４】
2007122331.tif 000006
【図５】
2007122331.tif 000007
【図６】
2007122331.tif 000008
【図７】
2007122331.tif 000009